(57)【特許請求の範囲】
【請求項１】
主板と、頂部と，該頂部の幅方向一端側と前記主板の幅方向一端側とに連続する傾斜側部と，前記頂部の幅方向他端側に形成された外側傾斜片とからなる重合山形部と、前記主板の幅方向他端側に連続する被重合傾斜側部を有する被重合山形部とからなり、前記傾斜側部及び被重合傾斜側部には、重合山形部及び被重合山形部の内方に向かって膨出する嵌合部がそれぞれ形成され、該嵌合部の上端と前記傾斜側部の上方側，又は被重合傾斜側部の上方側との間には断面略偏平皿形状の係止屈曲片がそれぞれ形成され、該係止屈曲片と前記嵌合部の上端箇所との間には、該上端側から見て一旦下向きの折曲形状とし略段差状の係止端縁が形成され、且つ受金具の係止部位が前記係止屈曲片に食い込むようにして係止されてなることを特徴とする屋根板材。
【請求項２】
請求項１において、前記外側傾斜片には前記被重合山形部の嵌合部に嵌合する重合嵌合部が形成され、該重合嵌合部の上端箇所には前記嵌合部の係止屈曲片に係止する重合係止片が形成されてなることを特徴とする屋根板材。
【請求項３】
主板と、頂部と，該頂部の幅方向一端側と前記主板の幅方向一端側とに連続する傾斜側部と，前記頂部の幅方向他端側に形成された外側傾斜片とからなる重合山形部と、前記主板の幅方向他端側に連続する被重合傾斜側部を有する被重合山形部とからなり、前記傾斜側部及び被重合傾斜側部には、重合山形部及び被重合山形部の内方に向かって膨出する嵌合部がそれぞれ形成され、該嵌合部の上端と前記傾斜側部の上方側，又は被重合傾斜側部の上方側との間には断面略偏平皿形状の係止屈曲片がそれぞれ形成され、該係止屈曲片と前記嵌合部の上端箇所との間には、該上端側から見て一旦下向きの折曲形状とし略段差状の係止端縁が形成された屋根板材と、幅方向両側から外方下向き傾斜状の係止突起部を形成した受金具とからなり、前記屋根板材の嵌合部の係止屈曲片に前記受金具の係止突起部の先端が前記係止屈曲片に食い込むようにして係止されてなることを特徴とする屋根。
【発明の詳細な説明】
【０００１】
【発明の属する技術分野】
本発明は、簡易且つ迅速に施工でき、且つ施工後は極めて強固なものにすることができる嵌合外囲体に関する。
【０００２】
【従来の技術】
従来より、金属製の種々の折板屋根において、幅方向両側に山形状部が形成された屋根板材が存在している。このタイプのものでは、隣接する屋根板材の雨形状部同士を重合させ、その山形状部に形成された嵌合部同士を重合状態で嵌合させて、山形状部を連結固定し、これを繰り返して、屋根（又は壁等）を施工するものである。
【０００３】
また、嵌合部は受金具に対しても、屋根板材を受金具の上方から押し付けるのみで、嵌合固定することができるようになっている。これによって、近時、屋根板材同士を連結するのに、ボルト・ナット等が不要であり、単に隣接する屋根板材の山形状部同士を重合させるのみで、略ワンタッチで施工できるようになっている。
【０００４】
【発明が解決しようとする課題】
ところが、隣接する屋根板材同士の連結及び屋根板材と受金具との固定においては、嵌合力のみに頼ることになり、且つボルトレス等の構造のために、嵌合力が弱い場合には、強風に対して十分に対応することができないこともあった。そのため、嵌合部を複雑な形状にして、山形状部同士の嵌合部の食い込み及び山形状部と受金具との係止状態を強固なものとするなどの試みがなされているが、それによって、屋根板材の成形が困難なものとなり、ひいては、高価なものとなる等の問題が生じることとなる。
【０００５】
【課題を解決するための手段】
そこで発明者は、前記課題を解決すべく、鋭意，研究を重ねた結果、その発明を、主板と、頂部と，該頂部の幅方向一端側と前記主板の幅方向一端側とに連続する傾斜側部と，前記頂部の幅方向他端側に形成された外側傾斜片とからなる重合山形部と、前記主板の幅方向他端側に連続する被重合傾斜側部を有する被重合山形部とからなり、前記傾斜側部及び被重合傾斜側部には、重合山形部及び被重合山形部の内方に向かって膨出する嵌合部がそれぞれ形成され、該嵌合部の上端と前記傾斜側部の上方側，又は被重合傾斜側部の上方側との間には断面略偏平皿形状の係止屈曲片がそれぞれ形成され、該係止屈曲片と前記嵌合部の上端箇所との間には、該上端側から見て一旦下向きの折曲形状とし略段差状の係止端縁が形成され、且つ受金具の係止部位が前記係止屈曲片に食い込むようにして係止されてなることを特徴とする屋根板材及びその屋根としたことにより、施工が簡易且つ迅速にできるとともに、施工後においては、その強度が極めて良好となる嵌合外囲体にでき、前記課題を解決したものである。
【０００６】
【発明の実施の形態】
以下、本発明の実施形態を図面に基づいて説明する。屋根板材Ａは、主に主板１，重合山形部Ａ1 及び被重合山形部Ａ2 とから構成される。その主板１は、平坦状をなし、幅方向の適宜の箇所（例えば、主板１の幅方向中央箇所）で、その屋根板材Ａの長手方向に沿って、偏平状の膨出条１ａが形成されている〔図１（Ａ），（Ｂ）参照〕。
【０００７】
その主板１の幅方向の一端側には重合山形部Ａ1 が形成され、他端側には被重合山形部Ａ2 が形成されている。そして、屋根板材Ａ，Ａ同士を接合して屋根を葺成する場合には、隣接する屋根板材Ａ，Ａにおいて、一方の屋根板材Ａの被重合山形部Ａ2 に、他方の屋根板材Ａの重合山形部Ａ1 が重合され、屋根板材Ａ，Ａ同士の接合が行われる。その重合山形部Ａ1 の構成は、頂部２の幅方向一端側に傾斜側部３が形成されている。また、前記頂部２の幅方向他端側には外側傾斜片４が形成されている。
【０００８】
前記傾斜側部３は、前記主板１の幅方向一端に連続形成されたものである。また、外側傾斜片４は、前記傾斜側部３よりも短く形成されたものである。そして、頂部２，傾斜側部３及び外側傾斜片４によって、略台形状の山形として重合山形部Ａ1 が形成される（図１，図２等参照〕。
【０００９】
その傾斜側部３には、頂部２側寄りの適宜の位置に嵌合部８が屈曲形成されている〔図２（Ａ），（Ｂ）のイ部参照〕。また、同様に外側傾斜片４の下端位置で且つ前記嵌合部８と同一高さの位置（略同一高さ位置も含まれる）には、重合嵌合部１０が形成される。前記嵌合部８は、前述したように、頂部２側よりの位置で，且つ重合山形部Ａ1 の内方側に向かって膨出するように形成されたものである。
【００１０】
その嵌合部８は、前述したように傾斜側部３の頂部２側寄りの位置で、重合山形部Ａ1 の内方に向かって膨出状に折曲形成されたものである。その嵌合部８の上端８ａと、該上端８ａと傾斜側部３の上方側部分との間に係止屈曲片９が形成されている〔図２（Ａ），（Ｂ）参照〕。該係止屈曲片９は、その断面形状が略凹形状に屈曲形成されたもので、さらに具体的には偏平皿形状をなしている。
【００１１】
その係止屈曲片９と、前記嵌合部８の上端８ａ箇所との間には、略段差状となる係止端縁９ａが形成される。該係止端縁９ａは、嵌合部８の上端８ａ側から見ると一旦下向きの折曲形状となっている〔図２（Ｂ）参照〕。そして、該係止端縁９ａには、後述する受金具Ｂの係止突起部１３が係止する（図４乃至図６等参照）。さらに、その係止屈曲片９の別の実施例では、断面略円弧状に形成されることもある〔図９（Ａ），（Ｂ）及び図１０（Ａ），（Ｂ）参照〕。
【００１２】
次に、被重合山形部Ａ2 の構成は、被重合頂部５の幅方向一端側から被重合傾斜側部６が形成され、被重合頂部５の他端側から被重合傾斜片７がそれぞれ形成されている。前記被重合傾斜側部６は、前記被重合頂部５側寄りに嵌合部８が形成されている〔図３（Ａ），（Ｂ）参照〕。
【００１３】
被重合山形部Ａ2 側の被重合傾斜側部６に形成された嵌合部８は、前記重合山形部Ａ1 側に形成された嵌合部８と左右対称の同等（略同等も含む）形状のものである（図１，図２，図３参照）。さらに、被重合山形部Ａ2 に形成される嵌合部８には、前記重合山形部Ａ1 に形成される嵌合部８と同様に係止屈曲片９が形成されている。該被重合山形部Ａ2 側の係止屈曲片９も前記重合山形部Ａ1 の係止屈曲片９と同等（略同等も含む）形状に形成されており、その嵌合部８の上端８ａと、該上端８ａと被重合傾斜側部６の上方側部分との間に係止屈曲片９が形成される。
【００１４】
また、被重合山形部Ａ2 の被重合傾斜片７は、その下端位置が係止屈曲片９の形成位置よりも僅かに高い位置にある〔図３（Ａ）参照〕。そして、被重合山形部Ａ2 に重合山形部Ａ1 を重合した状態で、被重合傾斜片７は重合山形部Ａ1 側の係止屈曲片９の上方側に位置するものである（図４，図６等参照）。
【００１５】
その屋根板材Ａの重合山形部Ａ1 における、外側傾斜片４の下端には重合嵌合部１０が形成されている。該重合嵌合部１０は、隣接する屋根板材Ａ，Ａ同士の重合山形部Ａ1 と被重合山形部Ａ2 とを重合したときに、その重合嵌合部１０が前記被重合山形部Ａ2 の嵌合部８の外方から略重合するような状態で嵌合する（図５参照）。
【００１６】
その重合嵌合部１０は、前記嵌合部８と略同様の形状をなしており、上端１０ａには前記係止屈曲片９に嵌合可能で、且つ係止屈曲片９に略同等形状の重合係止片１１が形成されている〔図８（Ａ），（Ｂ）参照〕。その重合係止片１１と、前記嵌合部８の上端８ａ箇所との間には、略段差状となる重合係止端縁１１ａが形成されることになる。
【００１７】
該重合係止端縁１１ａは、重合嵌合部１０の上端１０ａ側から見ると一段下がるように折曲形状となっている〔図８（Ｂ）参照〕。そして、重合嵌合部１０が被重合山形部Ａ2 の嵌合部８に嵌合した状態で、重合係止片１１が係止屈曲片９に重合状態で係止するものである〔図８（Ｃ）参照〕。
【００１８】
次に、前記重合山形部Ａ1 及び被重合山形部Ａ2 に形成される嵌合部８の別の実施例としては、上端８ａに形成される係止屈曲片９が外方側寄りが盛り上がるように略円弧状に形成されたものであり、前記上端８ａが略波形状又は略Ｓ字形状に屈曲形成されている。
【００１９】
次に、受金具Ｂは、本体１２の上部１２ａの幅方向両側から外方下向き傾斜状に係止突起部１３，１３が形成されている。該係止突起部１３，１３の先端箇所は、前記屋根板材Ａの重合山形部Ａ1 及び被重合山形部Ａ2 にそれぞれ形成された嵌合部８，８の係止屈曲片９，９に係止するものである。また、前記本体１２の中間箇所の両側には、中間支持部１２ｂ，１２ｂが形成されている。該中間支持部１２ｂ，１２ｂには、嵌合部８，８の下方面が支持されるようになっている（図４参照）。
【００２０】
【作用】
まず、母屋，胴縁等の構造材１４上に所定の間隔をおいて多数の受金具Ｂ，Ｂ，…が固着される。その隣接する受金具Ｂ，Ｂ間に屋根板材Ａが配置され、被重合山形部Ａ2 の嵌合部８に受金具Ｂの係止突起部１３が係止する（図７参照）。その屋根板材Ａの被重合山形部Ａ2 上に隣接する次位の屋根板材Ａの重合山形部Ａ1 を重合し、該重合山形部Ａ1 の嵌合部８を前記受金具Ｂの一方側の係止突起部１３に嵌合させるとともに、重合嵌合部１０は被重合山形部Ａ2 の嵌合部８に嵌合させる。このとき、受金具Ｂの両係止突起部１３，１３の先端は、重合状態にある重合山形部Ａ1 と被重合山形部Ａ2 の両嵌合部８，８の係止屈曲片９，９にそれぞれ係止している（図４，図５及び図６参照）。
【００２１】
【発明の効果】
請求項１の発明は、主板１と、頂部２と，該頂部２の幅方向一端側と前記主板１の幅方向一端側とに連続する傾斜側部３と，前記頂部２の幅方向他端側に形成された外側傾斜片４とからなる重合山形部Ａ１と、前記主板１の幅方向他端側に連続する被重合傾斜側部６を有する被重合山形部Ａ２とからなり、前記傾斜側部３及び被重合傾斜側部６には、重合山形部Ａ１及び被重合山形部Ａ２の内方に向かって膨出する嵌合部８，８がそれぞれ形成され、該嵌合部８，８の上端８ａ，８ａと前記傾斜側部３の上方側，又は被重合傾斜側部６の上方側との間には断面略偏平皿形状の係止屈曲片９，９がそれぞれ形成され、該係止屈曲片９と前記嵌合部８の上端８ａ箇所との間には、該上端８ａ側から見て一旦下向きの折曲形状とし略段差状の係止端縁９ａが形成され、且つ受金具Ｂの係止部位が前記係止屈曲片９，９に食い込むようにして係止されてなる屋根板材としたことにより、該屋根板材を使用して折板屋根を施工するにおいて、その嵌合部８を利用して受金具Ｂと係止させたときに、極めて強固なるものにすることができる。
【００２２】
上記効果を詳述すると、嵌合部８は、重合山形部Ａ1 の傾斜側部３、及び被重合山形部Ａ2 の被重合傾斜側部６の適宜の箇所にそれぞれ形成されている。そして、嵌合部８，８の上端８ａ，８ａと前記傾斜側部３の上方側，又は被重合傾斜側部６の上方側との間には断面略凹形状の係止屈曲片９，９がそれぞれ形成されている。
【００２３】
そこで、屋根板材Ａを受金具Ｂを介して母屋等の構造材等に固定して屋根を施工するにおいて、受金具Ｂの係止部位（実施形態では係止突起部１３，１３）と前記嵌合部８との嵌合状態は、その受金具Ｂの係止部位が前記係止屈曲片９，９にあたかも食い込むようにして係止し、受金具Ｂの係止部位が前記嵌合部８，８から極めて外れにくいものとすることができる。したがって、多数の屋根板材Ａは、受金具に強固に固定され、ひいては耐久性のある屋根の施工を行うことができる。
【００２４】
次に、請求項２の発明は、請求項１において、前記外側傾斜片４には前記被重合山形部Ａ2 の嵌合部８に嵌合する重合嵌合部１０が形成され、該重合嵌合部１０の上端箇所には前記嵌合部８の係止屈曲片９に係止する重合係止片１１が形成されてなる屋根板材としたことにより、隣接する屋根板材同士の接合力をより一層強固なるものとすることができる。
【００２５】
上記効果を詳述すると、隣接する屋根板材Ａ，Ａにおいて、一方の屋根板材Ａの重合山形部Ａ1 を隣接する他方の屋根板材Ａの被重合山形部Ａ2 に重合して折板屋根を施工すると、前記被重合山形部Ａ2 の嵌合部８に、隣接する屋根板材Ａの重合山形部Ａ1 の重合嵌合部１０の重合係止片１１が係止することにより、被重合山形部Ａ2 と重合山形部Ａ1 との嵌合力がより一層大きくなり、強風等に対する耐久性が向上するものである。
【００２６】
次に、請求項３の発明は、主板１と、頂部２と，該頂部２の幅方向一端側と前記主板１の幅方向一端側とに連続する傾斜側部３と，前記頂部２の幅方向他端側に形成された外側傾斜片４とからなる重合山形部Ａ１と、前記主板１の幅方向他端側に連続する被重合傾斜側部６を有する被重合山形部Ａ２とからなり、前記傾斜側部３及び被重合傾斜側部６には、重合山形部Ａ１及び被重合山形部Ａ２の内方に向かって膨出する嵌合部８，８がそれぞれ形成され、該嵌合部８，８の上端８ａ，８ａと前記傾斜側部３の上方側，又は被重合傾斜側部６の上方側との間には断面略偏平皿形状の係止屈曲片９，９がそれぞれ形成され、該係止屈曲片９と前記嵌合部８の上端８ａ箇所との間には、該上端８ａ側から見て一旦下向きの折曲形状とし略段差状の係止端縁９ａが形成された屋根板材Ａと、幅方向両側から外方下向き傾斜状の係止突起部１３，１３を形成した受金具Ｂとからなり、前記屋根板材Ａの嵌合部８の係止屈曲片９に前記受金具Ｂの係止突起部１３の先端が前記係止屈曲片９，９に食い込むようにして係止されてなる屋根としたことにより、該屋根における構造が強固で且つ耐久性に優れたものにできる。
【００２７】
上記効果を詳述すると、屋根板材Ａの重合山形部Ａ1 と被重合山形部Ａ2 に形成したそれぞれの嵌合部８，８を受金具Ｂの両係止突起部１３，１３に係止させることにより、各係止突起部１３が嵌合部８に形成された係止屈曲片９に係止することにより、係止突起部１３が嵌合部８からはずれにくくすることができる。これよって、多数の屋根板材Ａ，Ａ，…から構成された折板屋根は、強風による負圧に対して十分な耐久性を有するものである。
【図面の簡単な説明】
【図１】（Ａ）は屋根板材の略示斜視図
（Ｂ）は屋根板材の略示縦断正面図
【図２】（Ａ）は重合山形部の要部縦断正面図
（Ｂ）は（Ａ）のイ部拡大断面図
【図３】（Ａ）は被重合山形部の要部縦断正面図
（Ｂ）は（Ａ）のロ部拡大断面図
【図４】重合山形部と被重合山形部との重合箇所を受金具にて固定した縦断正面図
【図５】図４のハ部拡大断面図
【図６】図４のニ部拡大断面図
【図７】折板屋根の施工を示す縦断側面図
【図８】（Ａ）は屋根板材の別の実施例を示す要部縦断側面図
（Ｂ）は（Ａ）のホ部拡大断面図
（Ｃ）は嵌合部，係止突起部との係止構造を示す拡大断面図
【図９】（Ａ）は重合山形部側の係止屈曲片の別の実施例を示す拡大断面図
（Ｂ）は係止構造を示す拡大断面図
【図１０】（Ａ）は被重合山形部側の係止屈曲片の別の実施例を示す拡大断面図
（Ｂ）は係止構造を示す拡大断面図
【符号の説明】
Ａ…屋根板材
Ａ1 …重合山形部
Ａ2 …被重合山形部
Ｂ…受金具
１…主板
２…頂部
３…傾斜側部
４…外側傾斜片
６…被重合傾斜側部
８…嵌合部
９…係止屈曲片
１０…重合嵌合部
１１…重合係止片
１３…係止突起部
【図１】
0003949344.tif 000002
【図２】
0003949344.tif 000003
【図３】
0003949344.tif 000004
【図４】
0003949344.tif 000005
【図５】
0003949344.tif 000006
【図６】
0003949344.tif 000007
【図７】
0003949344.tif 000008
【図８】
0003949344.tif 000009
【図９】
0003949344.tif 000010
【図１０】
0003949344.tif 000011